(57)【特許請求の範囲】
【請求項１】
無線通信システムにおける端末により実行される通信方法において、
基地局からＲＲＣ(ｒａｄｉｏ  ｒｅｓｏｕｒｃｅ  ｃｏｎｔｒｏｌ)メッセージを介して物理ダウンリンク制御チャネル(ｐｈｙｓｉｃａｌ  ｄｏｗｎｌｉｎｋ  ｃｏｎｔｒｏｌ  ｃｈａｎｎｅｌ；ＰＤＣＣＨ)候補の集合をモニタリングしなければならない多重ダウンリンクコンポーネント搬送波のうちの少なくとも一つのダウンリンクコンポーネント搬送波を指示するメッセージを受信する段階；
前記多重ダウンリンクコンポーネント搬送波のうちの前記少なくとも一つのダウンリンクコンポーネント搬送波のサブフレームで前記ＰＤＣＣＨ候補の集合をモニタリングする段階；
ＰＤＣＣＨ候補が成功的にデコーディングされる場合、前記成功的にデコーディングされたＰＤＣＣＨ候補でアップリンクグラントを獲得する段階；及び、
前記アップリンクグラントは、ＰＵＳＣＨ（ｐｈｙｓｉｃａｌ  ｕｐｌｉｎｋ  ｓｈａｒｅｄ  ｃｈａｎｎｅｌ）のリソース割当とコンポーネント搬送波指示フィールドを含み、前記コンポーネント搬送波指示フィールドは、前記ＰＵＳＣＨの前記リソース割当によりスケジューリングされるコンポーネント搬送波を指示し、
前記コンポーネント搬送波指示フィールドにより指示されるコンポーネント搬送波を介して前記ＰＵＳＣＨの前記リソース割当を用いてデータを送信する段階；を含むことを特徴とする方法。
【請求項２】
前記ＰＤＣＣＨ候補は、前記ＰＤＣＣＨ候補のＣＲＣを前記端末の識別子でデマスキングしてＣＲＣエラーが検出されない場合、成功的にデコーディングされることを特徴とする請求項１に記載の方法。
【請求項３】
前記多重ダウンリンクコンポーネント搬送波のうちの前記少なくとも一つのダウンリンクコンポーネント搬送波は、前記コンポーネント搬送波指示フィールドにより指示されるダウンリンクコンポーネント搬送波と異なるダウンリンクコンポーネント搬送波であることを特徴とする請求項１に記載の方法。
【請求項４】
前記コンポーネント搬送波指示フィールドのビットサイズは、３ビットであることを特徴とする請求項１に記載の方法。
【請求項５】
前記サブフレームは、時間領域で複数のＯＦＤＭシンボルを含み、制御領域とデータ領域に区分され、前記ＰＤＣＣＨ候補の集合は、前記制御領域でモニタリングされることを特徴とする請求項１に記載の方法。
【請求項６】
無線信号を送信及び受信するためのＲＦ（ｒａｄｉｏ  ｆｒｅｑｕｅｎｃｙ）ユニット；及び、
前記ＲＦユニットと連結されるプロセッサ；を含み、
前記プロセッサは、基地局からＲＲＣ(ｒａｄｉｏ  ｒｅｓｏｕｒｃｅ  ｃｏｎｔｒｏｌ)メッセージを介して物理ダウンリンク制御チャネル(ｐｈｙｓｉｃａｌ  ｄｏｗｎｌｉｎｋ  ｃｏｎｔｒｏｌ  ｃｈａｎｎｅｌ；ＰＤＣＣＨ)候補の集合をモニタリングしなければならない多重ダウンリンクコンポーネント搬送波のうちの少なくとも一つのダウンリンクコンポーネント搬送波を指示するメッセージを受信し、前記多重ダウンリンクコンポーネント搬送波のうちの前記少なくとも一つのダウンリンクコンポーネント搬送波のサブフレームで前記ＰＤＣＣＨ候補の集合をモニタリングし、
ＰＤＣＣＨ候補が成功的にデコーディングされる場合、前記成功的にデコーディングされたＰＤＣＣＨ候補でアップリンクグラントを獲得し、前記アップリンクグラントは、ＰＵＳＣＨ（ｐｈｙｓｉｃａｌ  ｕｐｌｉｎｋ  ｓｈａｒｅｄ  ｃｈａｎｎｅｌ）のリソース割当とコンポーネント搬送波指示フィールドを含み、前記コンポーネント搬送波指示フィールドは、前記ＰＵＳＣＨの前記リソース割当によりスケジューリングされるコンポーネント搬送波を指示し、前記コンポーネント搬送波指示フィールドにより指示されるコンポーネント搬送波を介して前記ＰＵＳＣＨの前記リソース割当を用いてデータを送信するように設定されることを特徴とする端末。
【請求項７】
前記ＰＤＣＣＨ候補は、前記ＰＤＣＣＨ候補のＣＲＣを前記端末の識別子でデマスキングしてＣＲＣエラーが検出されない場合、成功的にデコーディングされることを特徴とする請求項６に記載の端末。
【請求項８】
前記多重ダウンリンクコンポーネント搬送波のうちの前記少なくとも一つのダウンリンクコンポーネント搬送波は、前記コンポーネント搬送波指示フィールドにより指示されるダウンリンクコンポーネント搬送波と異なるダウンリンクコンポーネント搬送波であることを特徴とする請求項６に記載の端末。
【請求項９】
前記コンポーネント搬送波指示フィールドのビットサイズは、３ビットであることを特徴とする請求項６に記載の端末。
【請求項１０】
前記サブフレームは、時間領域で複数のＯＦＤＭシンボルを含み、制御領域とデータ領域に区分され、前記ＰＤＣＣＨ候補の集合は、前記制御領域でモニタリングされることを特徴とする請求項６に記載の端末。
【発明の詳細な説明】
【技術分野】
【０００１】
本発明は、無線通信に関し、より詳しくは、無線通信システムにおけるデータ受信方法及び装置に関する。
【背景技術】
【０００２】
無線通信システムにおいて、一般的に、一つの基地局は、複数の端末にサービスを提供する。基地局は、複数の端末に対するユーザデータをスケジューリングし、前記ユーザデータに対するスケジューリング情報を含めた制御情報（ｃｏｎｔｒｏｌ  ｉｎｆｏｒｍａｔｉｏｎ）をユーザデータと共に送信する。一般的に、前記制御情報を運ぶチャネルを制御チャネルといい、ユーザデータを運ぶチャネルをデータチャネルという。端末は、制御チャネルをモニタリングして制御情報を探し、前記制御情報を用いてデータを処理する。
【０００３】
端末が自体に割り当てられたユーザデータを受信するためには制御チャネル上のユーザデータに対する制御情報を必ず受信しなければならない。しかし、与えられた帯域幅で、複数端末の制御情報は、一つの送信間隔（ｔｒａｎｓｍｉｓｓｉｏｎ  ｉｎｔｅｒｖａｌ）内で多重化（ｍｕｌｔｉｐｌｅｘｉｎｇ）されることが一般的である。即ち、基地局は、複数の端末にサービスを提供するために、複数の端末に対する制御情報を多重化し、複数の制御チャネルを介して送信する。端末は、複数の制御チャネルのうち自体の制御チャネルを探す。
【０００４】
多重化された制御情報の中から特定制御情報を検出する技法のうち一つがブラインド検出（ｂｌｉｎｄ  ｄｅｔｅｃｔｉｏｎ）である。ブラインド検出は、端末が制御チャネルの復旧に必要な情報のない状態で多様な組合せの情報を用いて制御チャネルを復旧するための試しをすることである。即ち、端末は、基地局から送信された制御情報が自体の制御情報かどうか知らず、自体の制御情報がどの部分に位置するか知らない状態で自体の制御情報を探す時まで端末が与えられた全ての制御情報をデコーディングする。端末が自体の制御情報かどうかを判別するためには端末の固有情報を用いることができる。例えば、基地局が各端末の制御情報を多重化させる時、各端末の固有識別子をＣＲＣ（ｃｙｃｌｉｃ  ｒｅｄｕｎｄａｎｃｙ  ｃｈｅｃｋ）にマスキングさせて送信することができる。ＣＲＣは、エラー検出に使われる符号（ｃｏｄｅ）である。端末は、受信した制御情報のＣＲＣに自体の固有識別子をデマスキングした後、ＣＲＣチェックをして自体の制御情報かどうかを判断することができる。
【０００５】
一方、ＩＴＵ（Ｉｎｔｅｒｎａｔｉｏｎａｌ  Ｔｅｌｅｃｏｍｍｕｎｉｃａｔｉｏｎ  Ｕｎｉｏｎ）では３世帯以後の次世代移動通信システムにダウンリンク１Ｇｂｐｓ（Ｇｉｇａｂｉｔｓ  ｐｅｒ  ｓｅｃｏｎｄ）及びアップリンク５００Ｍｂｐｓ（Ｍｅｇａｂｉｔｓ  ｐｅｒ  ｓｅｃｏｎｄ）である高速の送信率（ｔｒａｎｓｍｉｓｓｉｏｎ  ｒａｔｅ）を提供してＩＰ（ｉｎｔｅｒｎｅｔ  ｐｒｏｔｏｃｏｌ）基盤のマルチメディアシームレス（ｓｅａｍｌｅｓｓ）サービスをサポートすることを目標とするＩＭＴ−Ａ（Ｉｎｔｅｒｎａｔｉｏｎａｌ  Ｍｏｂｉｌｅ  Ｔｅｌｅｃｏｍｍｕｎｉｃａｔｉｏｎ−Ａｄｖａｎｃｅｄ）システムの標準化を進行している。３ＧＰＰ（３ｒｄ  Ｇｅｎｅｒａｔｉｏｎ  Ｐａｒｔｎｅｒｓｈｉｐ  Ｐｒｏｊｅｃｔ）ではＩＭＴ−Ａシステムのための候補技術として３ＧＰＰ  ＬＴＥ−Ａ（Ｌｏｎｇ  Ｔｅｒｍ  Ｅｖｏｌｕｔｉｏｎ−Ａｄｖａｎｃｅｄ）システムを考慮している。ＬＴＥ−Ａシステムは、ＬＴＥシステムの完成度を高める方向に進行され、ＬＴＥシステムと下位互換性（ｂａｃｋｗａｒｄ  ｃｏｍｐａｔｉｂｉｌｉｔｙ）を維持することと予想されている。ＬＴＥ−ＡシステムとＬＴＥシステムとの互換性を有するのが、ユーザの立場で便利であり、事業者の立場でも既存装備のリサイクルを図ることができるためである。
【０００６】
一般的に、無線通信システムは、一つの搬送波をサポートする単一搬送波（ｓｉｎｇｌｅ  ｃａｒｒｉｅｒ）システムである。送信率は、送信帯域幅（ｔｒａｎｓｍｉｓｓｉｏｎ  ｂａｎｄｗｉｄｔｈ）に比例するため、高速の送信率がサポートされるためには送信帯域幅が増加されなければならない。しかし、全世界的に一部地域を除いては大きい帯域幅の周波数割当が容易でない。断片的な小さい周波数バンドを効率的に使用するために、スペクトラム集約（または、帯域幅集約（ｂａｎｄｗｉｄｔｈ  ａｇｇｒｅｇａｔｉｏｎ）、搬送波集約（ｃａｒｒｉｅｒ  ａｇｇｒｅｇａｔｉｏｎ）とも呼ぶ）技術が開発されている。スペクトラム集約技術は、周波数領域で物理的に非連続的な複数個の周波数バンドを集約して論理的に大きい帯域の周波数バンドを使用することのような効果を得る技術である。スペクトラム集約技術を介して無線通信システムで多重搬送波がサポートされることができる。多重搬送波がサポートされる無線通信システムを多重搬送波（ｍｕｌｔｉｐｌｅ  ｃａｒｒｉｅｒ）システムという。搬送波は、無線周波数（ｒａｄｉｏ  ｆｒｅｑｕｅｎｃｙ；ＲＦ）、コンポーネント搬送波（ｃｏｍｐｏｎｅｎｔ  ｃａｒｒｉｅｒ；ＣＣ）等、他の用語で呼ばれることができる。
【０００７】
従って、多重搬送波システムで効率的なデータ受信方法及び装置を提供する必要がある。
【発明の概要】
【発明が解決しようとする課題】
【０００８】
本発明が解決しようとする技術的課題は、無線通信システムにおけるデータ受信方法及び装置を提供することである。
【課題を解決するための手段】
【０００９】
一側面で、無線通信システムにおける端末により実行されるデータ受信方法が提供される。前記方法は、基地局から第１のダウンリンクコンポーネント搬送波を介して物理ダウンリンク制御チャネル（ｐｈｙｓｉｃａｌ  ｄｏｗｎｌｉｎｋ  ｃｏｎｔｒｏｌ  ｃｈａｎｎｅｌ；ＰＤＣＣＨ）上にダウンリンクグラントを受信する段階；及び、前記ダウンリンクグラントに基づいて前記基地局から第２のダウンリンクコンポーネント搬送波を介してデータを受信する段階；を含むことを特徴とする。
【００１０】
前記ダウンリンクグラントは、前記第２のダウンリンクコンポーネント搬送波を指示するコンポーネント搬送波指示フィールドを含む。
【００１１】
前記ダウンリンクグラントの巡回冗長検査（ｃｙｃｌｉｃ  ｒｅｄｕｎｄａｎｃｙ  ｃｈｅｃｋ；ＣＲＣ）は、端末識別子（ＩＤ）でスクランブルされ、前記端末識別子は、前記第２のダウンリンクコンポーネント搬送波を指示する。
【００１２】
制御チャネル要素（ｃｏｎｔｒｏｌ  ｃｈａｎｎｅｌ  ｅｌｅｍｅｎｔ；ＣＣＥ）のインデックスは、前記第２のダウンリンクコンポーネント搬送波を指示し、前記制御チャネル要素は、前記ＰＤＣＣＨの送信に使用される。
【００１３】
前記方法は、前記基地局から前記第１のダウンリンクコンポーネント搬送波を介して第２のＰＤＣＣＨ上に第２のダウンリンクグラントを受信する段階；及び、前記第２のダウンリンクグラントに基づいて第３のダウンリンクコンポーネント搬送波を介して第２のデータを受信する段階；をさらに含む。
【００１４】
他の側面で、無線通信システムにおける端末により実行されるデータ送信方法が提供される。前記方法は、基地局から第１のダウンリンクコンポーネント搬送波を介して物理ダウンリンク制御チャネル（ＰＤＣＣＨ）上にアップリンクグラントを受信する段階；及び、前記アップリンクグラントに基づいて第１のアップリンクコンポーネント搬送波を介して前記基地局にデータを送信する段階；を含むことを特徴とする。
【００１５】
前記アップリンクグラントは、前記第１のアップリンクコンポーネント搬送波を指示するコンポーネント搬送波指示フィールドを含む。
【００１６】
他の側面で端末が提供される。前記端末は、無線信号を送信及び／または受信するＲＦ（ｒａｄｉｏ  ｆｒｅｑｕｅｎｃｙ）ユニット；及び、前記ＲＦユニットと連結されたプロセッサを含み、前記プロセッサは、第１のダウンリンクコンポーネント搬送波を介して物理ダウンリンク制御チャネル上にダウンリンクグラントを受信し、前記ダウンリンクグラントに基づいて第２のダウンリンクコンポーネント搬送波を介してデータを受信するように設定されることを特徴とする。
【００１７】
前記ダウンリンクグラントは、前記第２のダウンリンクコンポーネント搬送波を指示するコンポーネント搬送波指示フィールドを含むことを特徴とする端末。
（項目１）
無線通信システムにおける端末により実行されるデータ受信方法において、
基地局から第１のダウンリンクコンポーネント搬送波を介して物理ダウンリンク制御チャネル（ｐｈｙｓｉｃａｌ  ｄｏｗｎｌｉｎｋ  ｃｏｎｔｒｏｌ  ｃｈａｎｎｅｌ；ＰＤＣＣＨ）上にダウンリンクグラントを受信する段階；及び、
前記ダウンリンクグラントに基づいて前記基地局から第２のダウンリンクコンポーネント搬送波を介してデータを受信する段階；を含むことを特徴とする方法。
（項目２）
前記ダウンリンクグラントは、前記第２のダウンリンクコンポーネント搬送波を指示するコンポーネント搬送波指示フィールドを含むことを特徴とする項目１に記載の方法。
（項目３）
前記ダウンリンクグラントの巡回冗長検査（ｃｙｃｌｉｃ  ｒｅｄｕｎｄａｎｃｙ  ｃｈｅｃｋ；ＣＲＣ）は、端末識別子（ＩＤ）でスクランブルされ、前記端末識別子は、前記第２のダウンリンクコンポーネント搬送波を指示することを特徴とする項目１に記載の方法。
（項目４）
制御チャネル要素（ｃｏｎｔｒｏｌ  ｃｈａｎｎｅｌ  ｅｌｅｍｅｎｔ；ＣＣＥ）のインデックスは、前記第２のダウンリンクコンポーネント搬送波を指示し、前記制御チャネル要素は、前記ＰＤＣＣＨの送信に使用されることを特徴とする項目１に記載の方法。
（項目５）
前記基地局から前記第１のダウンリンクコンポーネント搬送波を介して第２のＰＤＣＣＨ上に第２のダウンリンクグラントを受信する段階；及び、
前記第２のダウンリンクグラントに基づいて第３のダウンリンクコンポーネント搬送波を介して第２のデータを受信する段階；をさらに含むことを特徴とする項目１に記載の方法。
（項目６）
無線通信システムにおける端末により実行されるデータ送信方法において、
基地局から第１のダウンリンクコンポーネント搬送波を介して物理ダウンリンク制御チャネル（ＰＤＣＣＨ）上にアップリンクグラントを受信する段階；及び、
前記アップリンクグラントに基づいて第１のアップリンクコンポーネント搬送波を介して前記基地局にデータを送信する段階；を含むことを特徴とする方法。
（項目７）
前記アップリンクグラントは、前記第１のアップリンクコンポーネント搬送波を指示するコンポーネント搬送波指示フィールドを含むことを特徴とする項目６に記載の方法。
（項目８）
無線信号を送信及び／または受信するＲＦ（ｒａｄｉｏ  ｆｒｅｑｕｅｎｃｙ）ユニット；及び、
前記ＲＦユニットと連結されたプロセッサ；を含み、
前記プロセッサは、第１のダウンリンクコンポーネント搬送波を介して物理ダウンリンク制御チャネル上にダウンリンクグラントを受信し、前記ダウンリンクグラントに基づいて第２のダウンリンクコンポーネント搬送波を介してデータを受信するように設定されることを特徴とする端末。
（項目９）
前記ダウンリンクグラントは、前記第２のダウンリンクコンポーネント搬送波を指示するコンポーネント搬送波指示フィールドを含むことを特徴とする項目８に記載の端末。
【発明の効果】
【００１８】
効率的なデータ受信方法及び装置を提供することができる。従って、全体システム性能が向上することができる。
【図面の簡単な説明】
【００１９】
【図１】無線通信システムを示すブロック図である。
【図２】多重搬送波（ｍｕｌｔｉｐｌｅ  ｃａｒｒｉｅｒ）システムで使われる複数のコンポーネント搬送波（ｃｏｍｐｏｎｅｎｔ  ｃａｒｒｉｅｒ；ＣＣ）の例を示す。
【図３】多重搬送波システムの例を示すブロック図である。
【図４】複数の物理チャネルの例を示す。
【図５】物理チャネルの帯域幅の例を示す。
【図６】多重搬送波システムでアップリンク及びダウンリンクの非対称構造の例を示す。
【図７】無線フレーム（ｒａｄｉｏ  ｆｒａｍｅ）の構造を示す。
【図８】一つのダウンリンクスロットに対するリソースグリッド（ｒｅｓｏｕｒｃｅ  ｇｒｉｄ）を示す例示図である。
【図９】ＦＤＤシステムにおける無線フレームとダウンリンクサブフレームの構造を示す。
【図１０】基地局が一つまたは二つの送信アンテナを使用する場合、ＲＥＧ構造の例を示す。
【図１１】基地局が４個の送信アンテナを使用する場合、ＲＥＧ構造の例を示す。
【図１２】ＲＥＧへのＰＣＦＩＣＨのマッピングの例を示す。
【図１３】端末で実行されるデータ送信方法及びデータ受信方法の例を示す流れ図である。
【図１４】ＰＤＣＣＨ構成方法の例を示すフローチャートである。
【図１５】基地局で実行される複数の端末に対する複数のＰＤＣＣＨ多重化方法の例を示す。
【図１６】端末で実行される制御チャネルモニタリング方法の例を示す。
【図１７】多重搬送波システムにおけるＰＤＣＣＨ送信方法の例を示す。
【図１８】本発明の一実施例に係る端末で実行されるデータ受信方法を示す流れ図である。
【図１９】本発明の他の実施例に係る端末で実行されるデータ送信方法を示す流れ図である。
【図２０】多重ＰＤＣＣＨ構成方法を示す。
【図２１】多重搬送波システムにおける多重ＰＤＣＣＨを送信する一例を示す。
【図２２】多重搬送波システムにおける多重ＰＤＣＣＨを送信する他の例を示す。
【図２３】多重搬送波システムにおける多重ＰＤＣＣＨを送信する他の例を示す。
【図２４】多重搬送波システムにおけるＰＤＣＣＨを送信する例を示す。
【図２５】コンポーネント搬送波部分集合を設定する例を示す。
【図２６】本発明の実施例が具現される無線通信システムを示すブロック図である。
【発明を実施するための形態】
【００２０】
図１は、無線通信システムを示すブロック図である。
【００２１】
図１を参照すると、無線通信システム１０は、少なくとも一つの基地局（Ｂａｓｅ  Ｓｔａｔｉｏｎ；ＢＳ）１１を含む。各基地局１１は、特定の地理的領域（一般的に、セルという）１５ａ、１５ｂ、１５ｃに対して通信サービスを提供する。また、セルは、複数の領域（セクターという）に分かれることができる。端末（Ｕｓｅｒ  Ｅｑｕｉｐｍｅｎｔ；ＵＥ）１２は、固定されたり、或いは移動性を有することができ、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることができる。基地局１１は、一般的に、端末１２と通信する固定局（ｆｉｘｅｄ  ｓｔａｔｉｏｎ）をいい、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。
【００２２】
以下、ダウンリンク（ｄｏｗｎｌｉｎｋ；ＤＬ）は、基地局から端末への通信を意味し、アップリンク（ｕｐｌｉｎｋ；ＵＬ）は、端末から基地局への通信を意味する。ダウンリンクにおいて、送信機は基地局の一部分であり、受信機は端末の一部分である。アップリンクにおいて、送信機は端末の一部分であり、受信機は基地局の一部分である。
【００２３】
無線通信システムは、多重アンテナをサポートすることができる。送信機は、複数の送信アンテナ（ｔｒａｎｓｍｉｔ  ａｎｔｅｎｎａ）を使用し、受信機は、複数の受信アンテナ（ｒｅｃｅｉｖｅ  ａｎｔｅｎｎａ）を使用することができる。送信アンテナは、一つの信号またはストリーム（ｓｔｒｅａｍ）の送信に使われる物理的または論理的アンテナを意味し、受信アンテナは、一つの信号またはストリームの受信に使われる物理的または論理的アンテナを意味する。
【００２４】
送信機及び受信機が複数のアンテナを使用すると、無線通信システムは、ＭＩＭＯ（ｍｕｌｔｉｐｌｅ  ｉｎｐｕｔ  ｍｕｌｔｉｐｌｅ  ｏｕｔｐｕｔ）システムと呼ばれることができる。
【００２５】
図２は、多重搬送波（ｍｕｌｔｉｐｌｅ  ｃａｒｒｉｅｒ）システムで使われる複数のコンポーネント搬送波（ｃｏｍｐｏｎｅｎｔ  ｃａｒｒｉｅｒ；ＣＣ）の例を示す。
【００２６】
図２を参照すると、多重搬送波システムは、Ｎ個のコンポーネント搬送波ＣＣ＃１，ＣＣ＃２，．．．，ＣＣ＃Ｎを使用することができる。ここで、隣接する（ａｄｊａｃｅｎｔ）コンポーネント搬送波は、周波数領域で物理的に不連続的（ｄｉｓｃｏｎｔｉｇｕｏｕｓ）なものであると示したが、これは例示に過ぎない。隣接するコンポーネント搬送波は、周波数領域で物理的に連続的（ｃｏｎｔｉｇｕｏｕｓ）であってもよい。
【００２７】
従って、多重搬送波システムは、周波数領域で物理的に不連続的及び／または連続的な複数のコンポーネント搬送波を集約して論理的に大きい帯域幅（ｂａｎｄｗｉｄｔｈ；ＢＷ）の周波数を使用することができる。
【００２８】
ダウンリンクで、基地局は一つまたはその以上のコンポーネント搬送波を介して一つの端末に同時に情報を送信することができる。また、アップリンクで、端末も一つまたはその以上のコンポーネント搬送波を介して基地局に同時に情報を送信することができる。
【００２９】
図３は、多重搬送波システムの例を示すブロック図である。
【００３０】
図３を参照すると、多重搬送波システムで、送信機１００及び受信機２００は、各々、Ｎ個のコンポーネント搬送波ＣＣ＃１，ＣＣ＃２，．．．，ＣＣ＃Ｎを使用する。一つのコンポーネント搬送波は、一つまたは複数の物理チャネル（ｐｈｙｓｉｃａｌ  ｃｈａｎｎｅｌ；ＰＨＹ）を含む。送信機１００と受信機２００との間には無線チャネル（ｗｉｒｅｌｅｓｓ  ｃｈａｎｎｅｌ）が形成される。
【００３１】
送信機１００は、複数の物理チャネル１１０−１，．．．，１１０−Ｍ、多重搬送波多重化装置１２０、及び複数の送信アンテナ１９０−１，．．．，１９０−Ｎｔを含む。受信機２００は、多重搬送波逆多重化装置２１０、複数の物理チャネル２２０−１，．．．，２２０−Ｌ、及び複数の受信アンテナ２９０−１，．．．，２９０−Ｎｒを含む。送信機１００の物理チャネルの個数Ｍ及び受信機２００の物理チャネルの個数Ｌは同じであってもよく、異なってもよい。ここで、送信機１００及び受信機２００は、各々、複数のアンテナを含むことと示したが、これは例示に過ぎない。送信機１００及び／または受信機２００は、一つのアンテナを含むこともできる。
【００３２】
送信機１００は、情報からＮ個のコンポーネント搬送波に基づいて送信信号を生成し、送信信号は、Ｍ個の物理チャネル１１０−１，．．．，１１０−Ｍを介して送信される。多重搬送波多重化装置１２０は、送信信号が同時に送信されることができるように送信信号を併合する。併合された送信信号は、Ｎｔ個の送信アンテナ１９０−１，．．．，１９０−Ｎｔを介して送信される。送信信号は、無線チャネルを経て受信機２００のＮｒ個の受信アンテナ２９０−１，．．．，２９０−Ｎｒを介して受信される。受信信号は、多重搬送波逆多重化装置２１０を介してＬ個の物理チャネル２２０−１，．．．，２２０−Ｌに分離される。各物理チャネル２２０−１，．．．，２２０−Ｌは、情報を復元する。
【００３３】
多重搬送波システムは、一つまたは複数の搬送波モジュール（ｍｏｄｕｌｅ）を含むことができる。搬送波モジュールは、ベースバンド信号（ｂａｓｅｂａｎｄ  ｓｉｇｎａｌ）を搬送波周波数（ｃａｒｒｉｅｒ  ｆｒｅｑｅｕｎｃｙ）に上方変換（ｕｐｃｏｎｖｅｒｓｉｏｎ）させて無線信号（ｒａｄｉｏ  ｓｉｇｎａｌ）に変換させたり、或いは無線信号を下方変換（ｄｏｗｎｃｏｎｖｅｒｓｉｏｎ）させてベースバンド信号に復元する。搬送波周波数は、中心周波数（ｃｅｎｔｅｒ  ｆｒｅｑｕｅｎｃｙ）とも呼ばれることができる。多重搬送波システムは、搬送波周波数別に複数の搬送波モジュールを使用してもよく、または搬送波周波数を変更可能な一つの搬送波モジュールを使用してもよい。
【００３４】
図４は、複数の物理チャネルの例を示す。図４は、Ｎ個のコンポーネント搬送波がＭ個の物理チャネルＰＨＹ＃１，ＰＨＹ＃２，．．．，ＰＨＹ＃Ｍで構成された場合の例である。
【００３５】
図４を参照すると、各物理チャネルは、特定帯域幅を有する。ＰＨＹ＃ｍは、中心周波数ｆｃ，ｍ及びＮＩＦＦＴ，ｍ・Δｆｍの帯域幅を有する（ｍ＝１，．．．，Ｍ）。ＮＩＦＦＴ，ｍは、ＰＨＹ＃ｍのＩＦＦＴ（ｉｎｖｅｒｓｅ  ｆａｓｔ  Ｆｏｕｒｉｅｒ  ｔｒａｎｓｆｏｒｍ）大きさを示し、Δｆｍは、ＰＨＹ＃ｍの副搬送波間隔（ｓｕｂｃａｒｒｉｅｒ  ｓｐａｃｉｎｇ）を示す。ＩＦＦＴ大きさ及び／または副搬送波間隔は、各物理チャネル別に同じであってもよく、異なってもよい。各物理チャネルの中心周波数は、一定間隔または不規則間隔に配置されることができる。
【００３６】
各物理チャネルは、端末またはセルに応じて最大帯域幅より小さい大きさの帯域幅を使用することができる。例えば、各物理チャネルの最大帯域幅が２０ＭＨｚ（ｍｅｇａｈｅｒｔｚ）であり、Ｍが５であると仮定すると、最大１００ＭＨｚの全体帯域幅がサポートされることができる。
【００３７】
図５は、物理チャネルの帯域幅の例を示す。
【００３８】
図５を参照すると、物理チャネルの最大帯域幅が２０ＭＨｚであると仮定すると、物理チャネルは、最大帯域幅より小さい１０ＭＨｚ、５ＭＨｚ、２．５ＭＨｚまたは１．２５ＭＨｚなどの帯域幅を使用することができる。ダウンリンクで物理チャネルがどんな大きさの帯域幅を使用しても、各物理チャネルには同期化チャネル（ｓｙｎｃｈｒｏｎｉｚａｔｉｏｎ  ｃｈａｎｎｅｌ；ＳＣＨ）が存在することができる。同期化チャネルは、セル探索（ｃｅｌｌ  ｓｅａｒｃｈ）のためのチャネルである。セル探索とは、端末がセルと時間同期化及び周波数同期化を獲得し、前記セルのセルＩＤ（ｉｄｅｎｔｉｆｉｅｒ）を検出する過程である。同期化チャネルが全てのダウンリンク物理チャネルに位置する場合、全ての端末がセルと同期化することができる。また、端末が複数のダウンリンク物理チャネルの割当を受ける場合、端末は、各物理チャネル別にセル探索をすることができ、特定物理チャネルを介してのみセル探索をすることもできる。
【００３９】
このように、多重搬送波システムで端末または基地局は一つまたはその以上の物理チャネルを用いて情報を送信及び／または受信することができる。端末が用いる物理チャネルの個数及び基地局が用いる物理チャネルの個数は異なってもよく、同じであってもよい。一般的に、基地局は、Ｍ個の物理チャネルを全部使用し、端末は、Ｌ個の物理チャネルを使用することができる（Ｍ≧Ｌ、Ｍ及びＬは自然数）。ここで、Ｌは端末の種類によって変わることができる。
【００４０】
多重搬送波システムは、多様な形態でアップリンク及びダウンリンクの構造を設計することができる。ＦＤＤ（ｆｒｅｑｕｅｎｃｙ  ｄｉｖｉｓｉｏｎ  ｄｕｐｌｅｘ）システムまたはＴＤＤ（ｔｉｍｅ  ｄｉｖｉｓｉｏｎ  ｄｕｐｌｅｘ）システムで、アップリンク及びダウンリンクの構造は、アップリンクの帯域幅とダウンリンクの帯域幅とが互いに異なる非対称（ａｓｙｍｍｅｔｒｉｃ）構造に設計されることができる。または、アップリンク及びダウンリンクの構造は、アップリンクの帯域幅とダウンリンクの帯域幅とが同一に設計されることもできる。この場合にも、アップリンク及びダウンリンクの構造は、アップリンク及びダウンリンクが同一個数の物理チャネルを有する対称（ｓｙｍｍｅｔｒｉｃ）構造に設計されたり、或いはアップリンクとダウンリンクが互いに異なる個数の物理チャネルを有する非対称構造に設計されることができる。
【００４１】
図６は、多重搬送波システムでアップリンク及びダウンリンクの非対称構造の例を示す。ＴＴＩ（ｔｒａｎｓｍｉｓｓｉｏｎ  ｔｉｍｅ  ｉｎｔｅｒｖａｌ）は、情報送信のためのスケジューリング単位である。ＦＤＤシステム及びＴＤＤシステムの各々で、アップリンク及びダウンリンクの構造は非対称構造である。アップリンク及びダウンリンクの構造が非対称である場合、特定リンクは、より高い情報処理率（ｔｈｒｏｕｇｈｐｕｔ）を有することがある。従って、システムが流動的に最適化されることができる。
【００４２】
以下、説明の便宜のために、一つのコンポーネント搬送波は、一つの物理チャネルを含むと仮定する。
【００４３】
多重搬送波システムで送信機及び受信機の各コンポーネント搬送波には、単一搬送波システムで使われる全ての送信／受信技法が適用されることができる。また、多重搬送波システムは、レガシー（ｌｅｇａｃｙ）システムである単一搬送波システムと下位互換性（ｂａｃｋｗａｒｄ  ｃｏｍｐａｔｉｂｉｌｉｔｙ）を維持するのが好ましい。多重搬送波システムと単一搬送波システムとの間に互換性が維持されると、ユーザの立場で便利であり、事業者の立場でも既存装備のリサイクルを図ることができるためである。
【００４４】
以下、単一搬送波システムを説明する。
【００４５】
図７は、無線フレーム（ｒａｄｉｏ  ｆｒａｍｅ）の構造を示す。
【００４６】
図７を参照すると、無線フレームは、１０個のサブフレーム（ｓｕｂｆｒａｍｅ）で構成され、一つのサブフレームは、２個のスロット（ｓｌｏｔ）で構成される。無線フレーム内のスロットは、＃０から＃１９までスロット番号がつけられる。一つのサブフレームの送信にかかる時間をＴＴＩという。例えば、一つの無線フレームの長さは１０ｍｓであり、一つのサブフレームの長さは１ｍｓであり、一つのスロットの長さは０．５ｍｓである。
【００４７】
無線フレームの構造は例示に過ぎず、無線フレームに含まれるサブフレームの数またはサブフレームに含まれるスロットの数は多様に変更されることができる。
【００４８】
図８は、一つのダウンリンクスロットに対するリソースグリッド（ｒｅｓｏｕｒｃｅ  ｇｒｉｄ）を示す例示図である。
【００４９】
図８を参照すると、ダウンリンクスロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域（ｆｒｅｑｕｅｎｃｙ  ｄｏｍａｉｎ）でＮＤＬリソースブロック（ｒｅｓｏｕｒｃｅ  ｂｌｏｃｋ；ＲＢ）を含む。ＯＦＤＭシンボルは、一つのシンボル区間（ｓｙｍｂｏｌ  ｐｅｒｉｏｄ）を表現するためのものであり、多重接続方式（ｍｕｌｔｉｐｌｅ  ａｃｃｅｓｓ  ｓｃｈｅｍｅ）によってＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）シンボル、ＳＣ−ＦＤＭＡ（ｓｉｎｇｌｅｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルなどで呼ばれることができる。ダウンリンクスロットに含まれるリソースブロックの数ＮＤＬは、セルで設定されるダウンリンク送信帯域幅（ｔｒａｎｓｍｉｓｓｉｏｎ  ｂａｎｄｗｉｄｔｈ）に従属する。一つのリソースブロックは、周波数領域で複数の副搬送波を含む。
【００５０】
リソースグリッド上の各要素（ｅｌｅｍｅｎｔ）をリソース要素（ｒｅｓｏｕｒｃｅ  ｅｌｅｍｅｎｔ；ＲＥ）という。ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数はこれに制限されるものではない。ＯＦＤＭシンボルの数は、ＣＰ（ｃｙｃｌｉｃ  ｐｒｅｆｉｘ）の長さ、副搬送波間隔によって多様に変更されることができる。例えば、ノーマル（ｎｏｒｍａｌ）ＣＰの場合、ＯＦＤＭシンボルの数は７であり、拡張された（ｅｘｔｅｎｄｅｄ）ＣＰの場合、ＯＦＤＭシンボルの数は６である。
【００５１】
図８における一つのダウンリンクスロットに対するリソースグリッドは、アップリンクスロットに対するリソースグリッドにも適用されることができる。
【００５２】
図９は、ＦＤＤシステムにおける無線フレームとダウンリンクサブフレームの構造を示す。
【００５３】
図９を参照すると、無線フレームは１０個のサブフレームを含み、サブフレームは２個の連続的な（ｃｏｎｓｅｃｕｔｉｖｅ）スロットを含む。ノーマルＣＰの場合、サブフレームは１４個のＯＦＤＭシンボルを含む。拡張されたＣＰの場合、サブフレームは１２個のＯＦＤＭシンボルを含む。無線フレーム毎に同期化チャネルが送信される。同期化チャネルにはＰ−ＳＣＨ（ｐｒｉｍａｒｙ−ＳＣＨ）とＳ−ＳＣＨ（ｓｅｃｏｎｄａｒｙ−ＳＣＨ）がある。Ｐ−ＳＣＨは、無線フレーム内の０番サブフレーム及び５番サブフレームの１番目のスロットの最後のＯＦＤＭシンボルを介して送信される。ノーマルＣＰの場合、サブフレーム内の６番ＯＦＤＭシンボルであり、拡張されたＣＰの場合、サブフレーム内の５番ＯＦＤＭシンボルである。Ｓ−ＳＣＨは、Ｐ−ＳＣＨが送信されるＯＦＤＭシンボルの直前のＯＦＤＭシンボルを介して送信される。
【００５４】
毎サブフレーム内の１番目のスロットの前方部の最大３ＯＦＤＭシンボル（０番、１番、及び２番ＯＦＤＭシンボル）は制御領域（ｃｏｎｔｒｏｌ  ｒｅｇｉｏｎ）であり、残りのＯＦＤＭシンボルはデータ領域（ｄａｔａ  ｒｅｇｉｏｎ）である。データ領域にはＰＤＳＣＨ（ｐｈｙｓｉｃａｌ  ｄｏｗｎｌｉｎｋ  ｓｈａｒｅｄ  ｃｈａｎｎｅｌ）が割り当てられることができる。ＰＤＳＣＨ上にはダウンリンクデータが送信される。
【００５５】
制御領域にはＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＨＩＣＨ（ｐｈｙｓｉｃａｌ  ＨＡＲＱ（ｈｙｂｒｉｄ  ａｕｔｏｍａｔｉｃ  ｒｅｐｅａｔ  ｒｅｑｕｅｓｔ）  ｉｎｄｉｃａｔｏｒ  ｃｈａｎｎｅｌ）、及びＰＤＣＣＨ（ｐｈｙｓｉｃａｌ  ｄｏｗｎｌｉｎｋ  ｃｏｎｔｒｏｌ  ｃｈａｎｎｅｌ）などの制御チャネルが割り当てられることができる。
【００５６】
リソース要素グループ（ｒｅｓｏｕｒｃ  ｅｅｌｅｍｅｎｔ  ｇｒｏｕｐ；以下、ＲＥＧという）は、リソース要素への制御チャネルマッピングを定義するために使われる。
【００５７】
図１０は、基地局が一つまたは二つの送信アンテナを使用する場合、ＲＥＧ構造の例を示す。図１１は、基地局が４個の送信アンテナを使用する場合、ＲＥＧ構造の例を示す。図１０と図１１の両方ともサブフレーム内の１番目のスロットの前方部の最大３ＯＦＤＭシンボル（０番、１番、及び２番ＯＦＤＭシンボル）が制御領域であると仮定する。
【００５８】
図１０及び図１１を参照すると、Ｒｐはｐ番アンテナを介する参照信号（ｒｅｆｅｒｅｎｃｅ  ｓｉｇｎａｌ；以下、ＲＳという）送信に使われるリソース要素を示す（ｐ∈｛０，１，２，３｝）。参照信号は、パイロット（ｐｉｌｏｔ）とも呼ばれることができる。一つのＲＥＧは、ＲＳ送信に使われるリソース要素を除いた周波数領域で隣接した（ａｄｊａｃｅｎｔ）４個のリソース要素で構成される。サブフレーム内の０番ＯＦＤＭシンボルには、周波数領域で一つのリソースブロック内の２個のＲＥＧがある。ＲＥＧの構造は例示に過ぎず、ＲＥＧに含まれるリソース要素の数は多様に変更されることができる。
【００５９】
ＰＨＩＣＨは、アップリンクデータに対するＨＡＲＱ  ＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）を運ぶ。
【００６０】
ＰＣＦＩＣＨは、端末にサブフレーム内でＰＤＣＣＨの送信に使われるＯＦＤＭシンボルの個数に関する情報を運ぶ（ｃａｒｒｙ）。ここで、制御領域が３ＯＦＤＭシンボルを含むことは例示にすぎない。制御情報の量により０番ＯＦＤＭシンボル、０番及び１番ＯＦＤＭシンボル、または０番〜２番ＯＦＤＭシンボルを介してＰＤＣＣＨが送信される。ＰＤＣＣＨ送信に使われるＯＦＤＭシンボルの数は、サブフレーム毎に変更されることができる。ＰＣＦＩＣＨは、サブフレーム毎に１番目のＯＦＤＭシンボル（０番ＯＦＤＭシンボル）を介して送信される。ＰＣＦＩＣＨは、単一アンテナ（ｓｉｎｇｌｅ  ａｎｔｅｎｎａ）を介して送信されることもでき、或いは送信ダイバーシティ技法が使われた多重アンテナを介して送信されることもできる。端末は、サブフレームの受信の際、ＰＣＦＩＣＨを介して送信される制御情報を確認した後、ＰＤＣＣＨを介して送信される制御情報を受信する。
【００６１】
ＰＣＦＩＣＨを介して送信される制御情報をＣＦＩ（ｃｏｎｔｒｏｌ  ｆｏｒｍａｔ  ｉｎｄｉｃａｔｏｒ）という。例えば、ＣＦＩ値は、１、２または３であり、ＣＦＩ値は、サブフレームでＰＤＣＣＨ送信に使われるＯＦＤＭシンボルの数を示す。即ち、ＣＦＩが２であると、サブフレームでＰＤＣＣＨ送信に使われるＯＦＤＭシンボルの数は２である。ただし、これは例示に過ぎず、ＣＦＩが示す情報は、ダウンリンク送信帯域幅によって異に定義されることができる。例えば、ダウンリンク送信帯域幅が特定閾値（ｔｈｒｅｓｈｏｌｄ  ｖａｌｕｅ）より小さい場合、ＣＦＩ値１、２、及び３は、各々、サブフレームでＰＤＣＣＨ送信に使われるＯＦＤＭシンボルの数が２、３、及び４であることを示す。
【００６２】
次の表は、ＣＦＩとＣＦＩにチャネルコーディングが実行されて生成された３２ビットＣＦＩコードワードの例を示す。
【００６３】
【表１】
0005603864.tif 000002
３２ビットＣＦＩコードワードは、ＱＰＳＫ（ｑｕａｄｒａｔｕｒｅ  ｐｈａｓｅ  ｓｈｉｆｔ  ｋｅｙｉｎｇ）を介して１６個の変調シンボルにマッピングされることができる。この場合、ＰＣＦＩＣＨ送信には１６リソース要素（または、１６副搬送波）が使われる。即ち、ＰＣＦＩＣＨ送信には４個のＲＥＧが使われる。
【００６４】
図１２は、ＲＥＧへのＰＣＦＩＣＨのマッピングの例を示す。
【００６５】
図１２を参照すると、ＰＣＦＩＣＨは、４個のＲＥＧにマッピングされ、ＰＣＦＩＣＨがマッピングされる各ＲＥＧは、互いに離隔されている。ＰＣＦＩＣＨのマッピングされるＲＥＧは、周波数領域でリソースブロックの個数によって変わる。ＰＣＦＩＣＨのセル間干渉を防止するために、ＰＣＦＩＣＨのマッピングされるＲＥＧは、セルＩＤによって周波数領域でシフト（ｓｈｉｆｔ）されることができる。
【００６６】
次に、ＰＤＣＣＨに対して説明する。
【００６７】
制御領域は、複数のＣＣＥ（ｃｏｎｔｒｏｌ  ｃｈａｎｎｅｌ  ｅｌｅｍｅｎｔｓ）の集合で構成される。ダウンリンクサブフレームでＣＣＥ集合を構成するＣＣＥの総数がＮ（ＣＣＥ）であると、ＣＣＥは０からＮ（ＣＣＥ）−１までＣＣＥインデックスがつけられる。ＣＣＥは、複数のＲＥＧに対応される。例えば、一つのＣＣＥは、９ＲＥＧに対応されることができる。ＰＤＣＣＨは、一つまたは複数の連続的なＣＣＥの集団（ａｇｇｒｅｇａｔｉｏｎ）上に送信される。ＣＣＥ集団を構成するＣＣＥの個数によってＰＤＣＣＨフォーマット及び可能なＰＤＣＣＨのビット数が決定される。以下、ＰＤＣＣＨ送信のために使われるＣＣＥ集団を構成するＣＣＥの数をＣＣＥ集団レベル（ａｇｇｒｅｇａｔｉｏｎ  ｌｅｖｅｌ）という。また、ＣＣＥ集団レベルは、ＰＤＣＣＨを検索するためのＣＣＥ単位である。ＣＣＥ集団レベルの大きさは、隣接するＣＣＥの数により定義される。例えば、ＣＣＥ集団レベルは｛１，２，４，８｝の元素である。
【００６８】
次の表は、ＣＣＥ集団レベルによるＰＤＣＣＨフォーマット、ＲＥＧの個数、及びＰＤＣＣＨのビット数の例を示す。
【００６９】
【表２】
0005603864.tif 000003
ＰＤＣＣＨを介して送信される制御情報をＤＣＩ（ｄｏｗｎｌｉｎｋ  ｃｏｎｔｒｏｌ  ｉｎｆｏｒｍａｔｉｏｎ）という。ＤＣＩは、ダウンリンクスケジューリング情報、アップリンクスケジューリング情報、またはアップリンクパワー制御命令などを伝達する。ダウンリンクスケジューリング情報は、ダウンリンクグラント（ｇｒａｎｔ）とも呼ばれ、アップリンクスケジューリング情報は、アップリンクグラントとも呼ばれる。
【００７０】
図１３は、端末で実行されるデータ送信方法及びデータ受信方法の例を示す流れ図である。
【００７１】
図１３を参照すると、基地局は、端末にアップリンクグラントを送信する（Ｓ１１）。端末は、基地局にアップリンクグラントに基づいてアップリンクデータを送信する（Ｓ１２）。アップリンクグラントは、ＰＤＣＣＨ上に送信されることができ、アップリンクデータは、ＰＵＳＣＨ（ｐｈｙｓｉｃａｌ  ｕｐｌｉｎｋ  ｓｈａｒｅｄ  ｃｈａｎｎｅｌ）上に送信されることができる。ＰＤＣＣＨの送信されるサブフレームとＰＵＳＣＨの送信されるサブフレームとの関係は、基地局と端末との間に予め定められることができる。例えば、ＦＤＤシステムで、ＰＤＣＣＨがｎ番サブフレームを介して送信されると、ＰＵＳＣＨは、ｎ＋４番サブフレームを介して送信されることができる。
【００７２】
基地局は、端末にダウンリンクグラントを送信する（Ｓ１３）。端末は、ダウンリンクグラントに基づいてダウンリンクデータを受信する（Ｓ１４）。ダウンリンクグラントは、ＰＤＣＣＨ上に送信されることができ、ダウンリンクデータは、ＰＤＳＣＨ上に送信されることができる。例えば、ＰＤＣＣＨ及びＰＤＳＣＨは、同一サブフレームに送信されることができる。
【００７３】
このように、端末は、基地局からダウンリンクデータを受信したり、または基地局にアップリンクデータを送信するために、ＰＤＣＣＨ上にＤＣＩを受信しなければならない。
【００７４】
ＤＣＩは、用途によって互いに異なるＤＣＩフォーマットを使用することができる。例えば、ダウンリンクグラントのために使われるＤＣＩフォーマットとアップリンクグラントのために使われるＤＣＩフォーマットとは互いに異なる。ＤＣＩフォーマットによってＤＣＩの大きさ及び用途が変わることができる。
【００７５】
次の表は、ＤＣＩフォーマットの例を示す。
【００７６】
【表３】
0005603864.tif 000004
表を参照すると、ＤＣＩフォーマット０は、ＰＵＳＣＨ（ｐｈｙｓｉｃａｌ  ｕｐｌｉｎｋ  ｓｈａｒｅｄ  ｃｈａｎｎｅｌ）スケジューリングのために使われる。ＤＣＩフォーマット０は、アップリンクグラントのために使われる。
【００７７】
ＤＣＩフォーマット１は、一つのＰＤＳＣＨコードワードのスケジューリングのために使われる。ＤＣＩフォーマット１Ａは、一つのＰＤＳＣＨコードワードの簡単な（ｃｏｍｐａｃｔ）スケジューリングのために使われる。ＤＣＩフォーマット１Ｂは、閉ループ（ｃｌｏｓｅｄ−ｌｏｏｐ）ランク１である送信モードで一つのＰＤＳＣＨコードワードの簡単なスケジューリングのために使われる。ＤＣＩフォーマット１Ｃは、ページング、ランダムアクセスチャネル応答（ｒａｎｄｏｍ  ａｃｃｅｓｓ  ｃｈａｎｎｅｌ（ＲＡＣＨ）  ｒｅｓｐｏｎｓｅ）及び動的ＢＣＣＨ（ｂｒｏａｄｃａｓｔ  ｃｏｎｔｒｏｌ  ｃｈａｎｎｅｌ）のために使われる。ＤＣＩフォーマット１Ｄは、ＭＵ（ｍｕｌｔｉ−ｕｓｅｒ）−ＭＩＭＯモードでＰＤＳＣＨスケジューリングのために使われる。ＤＣＩフォーマット２は、閉ループランク適応的な空間多重化（ｓｐａｔｉａｌ  ｍｕｌｔｉｐｌｅｘｉｎｇ）モードでＰＤＳＣＨスケジューリングのために使われる。ＤＣＩフォーマット２Ａは、開ループ（Ｏｐｅｎ−ｌｏｏｐ）ランク適応的な空間多重化モードでＰＤＳＣＨスケジューリングのために使われる。ＤＣＩフォーマット１からフォーマット２Ａまでは、各々、ダウンリンクグラントのために使われる。ただし、ＤＣＩの用途や基地局の送信モード（ｔｒａｎｓｍｉｓｓｉｏｎ  ｍｏｄｅ）によって異なるＤＣＩフォーマットが使われる。
【００７８】
ＤＣＩフォーマット３と３Ａは、ＰＵＣＣＨ（ｐｈｙｓｉｃａｌ  ｕｐｌｉｎｋ  ｃｏｎｔｒｏｌ  ｃｈａｎｎｅｌ）及びＰＵＳＣＨのためのＴＰＣ（Ｔｒａｎｓｍｉｓｓｉｏｎ  Ｐｏｗｅｒ  Ｃｏｎｔｒｏｌ）命令の送信のために使われる。ＤＣＩフォーマット３と３Ａは、アップリンクパワー制御命令のために使われる。
【００７９】
各ＤＣＩフォーマットは、複数の情報フィールドで構成される。ＤＣＩフォーマット毎にＤＣＩフォーマットを構成する情報フィールドの種類、各情報フィールドの大きさなどが変わることができる。例えば、ダウンリンクグラント（またはアップリンクグラント）は、無線リソースを指示するリソース割当フィールド（ｒｅｓｏｕｒｃｅ  ａｌｌｏｃａｔｉｏｎ  ｆｉｅｌｄ）を含む。また、ダウンリンクグラント（またはアップリンクグラント）は、変調方式及びチャネルコーディング方式を指示するＭＣＳ（ｍｏｄｕｌａｔｉｏｎ  ａｎｄ  ｃｏｄｉｎｇ  ｓｃｈｅｍｅ）フィールドをさらに含むことができる。なお、ダウンリンクグラント（またはアップリンクグラント）は、多様な情報フィールドをさらに含むことができる。
【００８０】
図１４は、ＰＤＣＣＨ構成方法の例を示すフローチャートである。
【００８１】
図１４を参照すると、基地局は、ＤＣＩフォーマットによって情報ビットストリーム（ｂｉｔ  ｓｔｒｅａｍ）を生成する（Ｓ２１）。
【００８２】
基地局は、情報ビットストリームにエラー検出（ｅｒｒｏｒ  ｄｅｔｅｃｔｉｏｎ）のためのＣＲＣ（ｃｙｃｌｉｃ  ｒｅｄｕｎｄａｎｃｙ  ｃｈｅｃｋ）を付加（ａｔｔａｃｈｍｅｎｔ）する（Ｓ２２）。情報ビットストリームは、ＣＲＣ計算のために使われることができる。ＣＲＣは、パリティビット（ｐａｒｉｔｙ  ｂｉｔｓ）であり、情報ビットストリームの後または前にＣＲＣが付加されることができる。
【００８３】
ＣＲＣにはＤＣＩの所有者（ｏｗｎｅｒ）や用途によって識別子（これをＲＮＴＩ（ｒａｄｉｏ  ｎｅｔｗｏｒｋ  ｔｅｍｐｏｒａｒｙ  ｉｄｅｎｔｉｆｉｅｒ）という）がマスキングされる。マスキングは、ＣＲＣが識別子でスクランブル（ｓｃｒａｍｂｌｅ）されることである。マスキングは、ＣＲＣと識別子がモジュロ（ｍｏｄｕｌｏ）２演算またはＸＯＲ（ｅｘｃｌｕｓｉｖｅ  ｏｒ）演算されることである。
【００８４】
特定端末のためのＤＣＩの場合、端末の固有識別子、例えば、Ｃ−ＲＮＴＩ（ｃｅｌｌ−ＲＮＴＩ）がＣＲＣにマスキングされることができる。Ｃ−ＲＮＴＩは、端末ＩＤ（ｉｄｅｎｔｉｆｉｅｒ）とも呼ばれる。ＣＲＣにはＣ−ＲＮＴＩの以外にも異なるＲＮＴＩがマスキングされることができる。ページングメッセージのためのＰ−ＲＮＴＩ（ｐａｇｉｎｇ−ＲＮＴＩ）、システム情報（ｓｙｓｔｅｍ  ｉｎｆｏｒｍａｔｉｏｎ）のためのＳＩ−ＲＮＴＩ（ｓｙｓｔｅｍｉｎｆｏｒｍａｔｉｏｎ−ＲＮＴＩ）、及び端末のランダムアクセスプリアンブルの送信に対する応答であるランダムアクセス応答を指示するためのＲＡ−ＲＮＴＩ（ｒａｎｄｏｍ  ａｃｃｅｓｓ−ＲＮＴＩ）などがＣＲＣにマスキングされることができる。
【００８５】
基地局は、ＣＲＣが付加された情報ビットストリームにチャネルコーディング（ｃｈａｎｎｅｌ  ｃｏｄｉｎｇ）を実行して符号化されたビットストリームを生成する（Ｓ２３）。チャネルコーディング方式には制限がない。例えば、コンボリューションコーディング（ｃｏｎｖｏｌｕｔｉｏｎ  ｃｏｄｉｎｇ）方式が使われることができる。チャネルコーディング率（ｃｈａｎｎｅｌ  ｃｏｄｉｎｇ  ｒａｔｅ）によってＰＤＣＣＨのビット数が変わることができる。
【００８６】
基地局は、符号化されたビットストリームにレートマッチング（ｒａｔｅ  ｍａｔｃｈｉｎｇ）を実行してレートマッチングされたビットストリームを生成する（Ｓ２４）。基地局は、レートマッチングされたビットストリームを変調（ｍｏｄｕｌａｔｉｏｎ）して変調シンボルを生成する（Ｓ２５）。基地局は、変調シンボルをリソース要素にマッピングする（Ｓ２６）。
【００８７】
以上のように、一つのＰＤＣＣＨ構成方法を説明した。しかし、一つのサブフレーム内で複数の制御チャネルが送信されることができる。即ち、一つのサブフレーム内で数個の端末に対する複数のＰＤＣＣＨが多重化されて送信されることができる。情報ビットストリーム生成、ＣＲＣ付着、チャネルコーディング、及びレートマッチングなどは、各ＰＤＣＣＨ毎に独立的に実行される。即ち、図１４のＰＤＣＣＨ構成過程は、各ＰＤＣＣＨ毎に独立的に実行されることができる。
【００８８】
図１５は、基地局で実行される複数の端末に対する複数のＰＤＣＣＨ多重化方法の例を示す。
【００８９】
図１５を参照すると、サブフレーム内の制御領域を構成するＣＣＥ集合は、０からＮ（ＣＣＥ）−１までＣＣＥインデックスがつけられたＮ（ＣＣＥ）個のＣＣＥで構成される。端末＃１のためのＰＤＣＣＨは、ＣＣＥ集団レベル１でＣＣＥインデックス０であるＣＣＥ集団上に送信される。端末＃２のためのＰＤＣＣＨは、ＣＣＥ集団レベル１でＣＣＥインデックス１であるＣＣＥ集団上に送信される。端末＃３のためのＰＤＣＣＨは、ＣＣＥ集団レベル２でＣＣＥインデックス２及び３であるＣＣＥ集団上に送信される。端末＃４のためのＰＤＣＣＨは、ＣＣＥ集団レベル４でＣＣＥインデックス４、５、６、及び７であるＣＣＥ集団上に送信される。端末＃５のためのＰＤＣＣＨは、ＣＣＥ集団レベル２でＣＣＥインデックス８及び９であるＣＣＥ集団上に送信される。
【００９０】
ＣＣＥは、ＣＣＥ及びリソース要素間マッピング規則（ＣＣＥ−ｔｏ−ＲＥ  ｍａｐｐｉｎｇ  ｒｕｌｅ）によってリソース要素にマッピングされる。この時、各端末のＰＤＣＣＨは、サブフレーム内の制御領域にインターリービング（ｉｎｔｅｒｌｅａｖｉｎｇ）されてリソース要素にマッピングされる。サブフレーム内のＰＤＣＣＨの送信に使われるＯＦＤＭシンボルの個数、ＰＨＩＣＨグループの個数、送信アンテナの個数、及び周波数シフト（ｆｒｅｑｕｅｎｃｙ  ｓｈｆｉｔ）によってマッピングされるリソース要素の位置が変わることができる。
【００９１】
基地局は、前記端末のＰＤＣＣＨがサブフレーム内のどこにあるかに関する情報を端末に提供しない。一般的に、端末は、サブフレーム内の前記端末のＰＤＣＣＨの位置が分からない状態で、サブフレーム毎にＰＤＣＣＨ候補（ｃａｎｄｉｄａｔｅｓ）の集合をモニタリング（ｍｏｎｉｔｏｒｉｎｇ）して前記端末のＰＤＣＣＨを探す。ここで、モニタリングとは、端末がモニタリングされる全てのＤＣＩフォーマットによってＰＤＣＣＨ候補の各々に対してデコーディングを試すことを意味する。これをブラインドデコーディング（ｂｌｉｎｄ  ｄｅｃｏｄｉｎｇ）またはブラインド検出（ｂｌｉｎｄ  ｄｅｔｅｃｔｉｏｎ）と呼ぶ。もし、端末がＰＤＣＣＨ候補でＣ−ＲＮＴＩをデマスキング（ｄｅｍａｓｋｉｎｇ）した後、ＣＲＣ検査をしてＣＲＣエラーが検出されないと、端末は、前記ＰＤＣＣＨ候補を前記端末のＰＤＣＣＨとして検出したことである。
【００９２】
また、端末は、前記端末のＰＤＣＣＨがどのＣＣＥ集団レベルで送信されるかが分からない。従って、端末は、可能なＣＣＥ集団レベル別にＰＤＣＣＨ候補の集合のデコーディングを試さなければならない。
【００９３】
図１６は、端末で実行される制御チャネルモニタリング方法の例を示す。
【００９４】
図１６を参照すると、サブフレーム内の制御領域を構成するＣＣＥ集合は、０からＮ（ＣＣＥ）−１までＣＣＥインデックスがつけられたＮ（ＣＣＥ）個のＣＣＥで構成される。ＣＣＥ集団レベル（Ｌ）は｛１，２，４，８｝であり、即ち、４種類である。ＣＣＥ集団レベル別に端末のモニタリングするＰＤＣＣＨ候補の集合が異に定義される。例えば、ＣＣＥ集団レベルが１である場合、ＰＤＣＣＨ候補は、ＣＣＥ集合を構成する全てのＣＣＥである。ＣＣＥ集団レベルが２である場合、ＰＤＣＣＨ候補は、ＣＣＥインデックス０及び１であるＣＣＥ集団、ＣＣＥインデックス２及び３であるＣＣＥ集団などである。ＣＣＥ集団レベルが４である場合、ＰＤＣＣＨ候補は、ＣＣＥインデックス０から３までのＣＣＥ集団、ＣＣＥインデックス４から７までのＣＣＥ集団などである。ＣＣＥ集団レベルが８である場合、ＰＤＣＣＨ候補は、ＣＣＥインデックス０から７までのＣＣＥ集団などである。
【００９５】
以上、単一搬送波システムのフレーム構造、ＰＤＣＣＨ送信及びモニタリング方法などに対して説明した。多重搬送波システムを最適化するために、多重アンテナ技法または制御チャネルは、各コンポーネント搬送波別に周波数チャネル特性を考慮して設計されなければならない。従って、各コンポーネント搬送波別に最適送信／受信技法及びシステムパラメータが適切に使われることが重要である。また、多重搬送波システムの一つのコンポーネント搬送波でレガシーシステムと同一なフレーム構造が使われることができる。この場合、レガシーシステムのための端末と多重搬送波システムのための端末の両方とも動作することができるように、制御チャネルが適切に変形されなければならない。以下、レガシーシステムのための端末をＬＴＥ（ｌｏｎｇ  ｔｅｒｍ  ｅｖｏｌｕｔｉｏｎ）端末といい、多重搬送波システムのための端末をＬＴＥ−Ａ（ＬＴＥ−ａｄｖａｎｃｅｄ）端末という。
【００９６】
図１７は、多重搬送波システムにおけるＰＤＣＣＨ送信方法の例を示す。
【００９７】
図１７を参照すると、端末は、２個のダウンリンクコンポーネント搬送波（ＣＣ＃１及びＣＣ＃２）を使用する。第１の類型（Ｔｙｐｅ  １）で、基地局は、端末に複数のダウンリンクコンポーネント搬送波を介してＰＤＣＣＨを送信することができる。ＣＣ＃１を介して送信されるＰＤＣＣＨは、ＣＣ＃１を介して送信されるダウンリンクデータのスケジューリング情報を運んだり、またはＣＣ＃２を介して送信されるダウンリンクデータのスケジューリング情報を運ぶことができる。即ち、複数のダウンリンクコンポーネント搬送波のうち一つのダウンリンクコンポーネント搬送波を介して送信されるダウンリンクデータのスケジューリング情報は、前記複数のダウンリンクコンポーネント搬送波にわたって送信されることができる。従って、第１の類型で、ＰＤＣＣＨは、周波数ダイバーシティ利得を得ることができる。しかし、特定コンポーネント搬送波のチャネル状態がよくない場合、前記特定コンポーネント搬送波を介して送信されるＰＤＣＣＨを検出（ｄｅｔｅｃｔｉｏｎ）することができないことがある。この場合、端末は、前記ＰＤＣＣＨに対応するＰＤＳＣＨ上に送信されるダウンリンクデータを受信することができない。
【００９８】
第２の類型（Ｔｙｐｅ  ２）で、基地局は、端末に複数のダウンリンクコンポーネント搬送波のうち特定ダウンリンクコンポーネント搬送波のみを介してＰＤＣＣＨを送信することができる。第２の類型ではＰＤＣＣＨの送信される制御領域が集積されることによって限定的な無線リソースが効率的に使われることができる。しかし、ＰＤＣＣＨの送信される特定ダウンリンクコンポーネント搬送波のチャネル状態がよくない場合、端末は、他のダウンリンクコンポーネント搬送波を介して送信されるダウンリンクデータも受信することができない。
【００９９】
第３の類型（Ｔｙｐｅ  ３）で、基地局は、複数のダウンリンクコンポーネント搬送波の各々に独立的なＰＤＣＣＨを使用する。一つのダウンリンクコンポーネント搬送波を介して送信されるＰＤＣＣＨは、前記ダウンリンクコンポーネント搬送波を介して送信されるダウンリンクデータのスケジューリング情報を運ぶことができるが、他のダウンリンクコンポーネント搬送波を介して送信されるダウンリンクデータのスケジューリング情報は運ばない。第３の類型は非常に流動的である。また、特定ダウンリンクコンポーネント搬送波のチャネル状態が悪くても、端末は、他のダウンリンクコンポーネント搬送波を介してダウンリンクデータを受信することができる。従って、第３の類型は、強いシステム特性を有している。しかし、各ダウンリンクコンポーネント搬送波に同一な制御情報が繰り返される場合、不必要なオーバーヘッドが発生することができる。
【０１００】
しかし、第１の類型または第２の類型では一つのＬＴＥ−Ａ端末のために一つ以上のＰＤＣＣＨが送信される時、ＰＤＣＣＨに対応されるＰＤＳＣＨが送信されるコンポーネント搬送波と異なるコンポーネント搬送波を介してＰＤＣＣＨが送信されることができる。従って、ＰＤＣＣＨが複数のコンポーネント搬送波のうちいずれのコンポーネント搬送波と関連した制御情報を運ぶかが問題となる。
【０１０１】
図１８は、本発明の一実施例に係る端末で実行されるデータ受信方法を示す流れ図である。
【０１０２】
図１８を参照すると、端末は、基地局から第１のダウンリンクコンポーネント搬送波を介してＰＤＣＣＨ上にダウンリンクグラントを受信する（Ｓ１１０）。端末は、基地局から第２のダウンリンクコンポーネント搬送波を介してダウンリンクグラントに基づいてデータを受信する（Ｓ１２０）。
【０１０３】
端末は、基地局から第１のダウンリンクコンポーネント搬送波を介して第２のＰＤＣＣＨ上に第２のダウンリンクグラントをさらに受信することができる。端末は、基地局から第３のダウンリンクコンポーネント搬送波を介して第２のダウンリンクグラントに基づいて第２のデータをさらに受信することができる。
【０１０４】
図１９は、本発明の他の実施例に係る端末で実行されるデータ送信方法を示す流れ図である。
【０１０５】
図１９を参照すると、端末は、基地局から第１のダウンリンクコンポーネント搬送波を介してＰＤＣＣＨ上にアップリンクグラントを受信する（Ｓ２１０）。端末は、基地局に第１のアップリンクコンポーネント搬送波を介してのアップリンクグラントに基づいてデータを送信する（Ｓ２２０）。
【０１０６】
以下、ＰＤＣＣＨと関連したコンポーネント搬送波を指示する搬送波情報に対して説明する。基地局は、多様な方法を介して端末に搬送波情報を知らせることができる。
【０１０７】
（１）情報ビットストリーム生成の際、ＣＩＢＦ（ＣＣ  ｉｎｄｉｃａｔｉｏｎ  ｂｉｔ  ｆｉｅｌｄ）を追加する方法
ＤＣＩフォーマット毎にＣＩＢＦが新たな情報フィールドとして追加されることができる。
【０１０８】
次の表は、ＣＩＢＦ値によってＣＩＢＦが指示するコンポーネント搬送波の例を示す。
【０１０９】
【表４】
0005603864.tif 000005
表を参照すると、端末は、４個のコンポーネント搬送波（ＣＣ＃１、ＣＣ＃２、ＣＣ＃３、及びＣＣ＃４）を使用し、ＣＩＢＦの大きさは２ビットである。ただし、表は例示に過ぎず、ＣＩＢＦの大きさ及びＣＩＢＦが指示するコンポーネント搬送波は、多様に構成されることができる。
【０１１０】
ＣＩＢＦの大きさは、端末と基地局との間に予め定められることができる。または、基地局は、端末にＲＲＣ（ｒａｄｉｏ  ｒｅｓｏｕｒｃｅ  ｃｏｎｔｒｏｌ）シグナリングのような上位階層シグナリングを介してＣＩＢＦの大きさを知らせることができる。さらに、ＣＩＢＦの大きさは端末によって定められることができる。例えば、ＣＩＢＦの大きさは、端末が使用するコンポーネント搬送波個数によって定められる。
【０１１１】
ＣＩＢＦの大きさは、ＤＣＩフォーマットによって定められることもできる。アップリンクグラントのためのＤＣＩフォーマットである場合（例えば、ＤＣＩフォーマット０）、ＣＩＢＦの大きさは、端末が使用するアップリンクコンポーネント搬送波の個数によって定められることができる。アップリンクグラントのためのＤＣＩフォーマットのＣＩＢＦはＵＬ  ＣＩＢＦと呼ばれる。ダウンリンクグラントのためのＤＣＩフォーマットが含むＣＩＢＦの大きさは、端末が使用するダウンリンクコンポーネント搬送波の個数によって定められることができる。ダウンリンクグラントのためのＤＣＩフォーマットのＣＩＢＦはＤＬ  ＣＩＢＦと呼ばれる。従って、ＵＬ  ＣＩＢＦの大きさ及びＤＬ  ＣＩＢＦの大きさは互いに異なることができる。その他、ＤＣＩフォーマットのサービスタイプ、送信モード（ｔｒａｎｓｍｉｓｓｉｏｎ  ｍｏｄｅ）などによってＣＩＢＦの大きさが変わることができる。サービスタイプは、ＶｏＩＰ（ｖｏｉｃｅ  ｏｖｅｒ  ｉｎｔｅｒｎｅｔ  ｐｒｏｔｏｃｏｌ）などの送信のための半持続的スケジューリング（ｓｅｍｉ−ｐｅｒｓｉｓｔｅｎｔ  ｓｃｈｅｄｕｌｉｎｇ；ＳＰＳ）、動的スケジューリング（ｄｙｎａｍｉｃ  ｓｃｈｅｄｕｌｉｎｇ）などに区別されることができる。送信モードは、一つのアンテナ送信技法（ｓｃｈｅｍｅ）、送信ダイバーシティ技法、開ループ空間多重化（ｏｐｅｎ−ｌｏｏｐ  ｓｐａｔｉａｌ  ｍｕｌｔｉｐｌｅｘｉｎｇ）技法、閉ループ空間多重化（ｃｌｏｓｅｄ−ｌｏｏｐ  ｓｐａｔｉａｌ  ｍｕｌｔｉｐｌｅｘｉｎｇ）技法、ＭＵ−ＭＩＭＯ（ｍｕｌｔｉ−ｕｓｅｒ  ＭＩＭＯ）技法などに区別されることができる。例えば、開ループ空間多重化技法のためのＤＣＩフォーマットの場合、複数のコンポーネント搬送波を全部使用せず、一部の構成波のみを使用する。従って、ＤＣＩフォーマットは、ＣＩＢＦを含まない場合もあり、またはＣＩＢＦの大きさが小さい場合もある。
【０１１２】
端末が複数のコンポーネント搬送波を使用する場合、全てのＰＤＣＣＨにＣＩＢＦが適用されることができる。端末が一つのコンポーネント搬送波のみを使用する場合、ＣＩＢＦは保留されたり（ｒｅｓｅｒｖｅｄ）、または他の用途に使われることができる。または、情報ビットストリーム生成の際、ＣＩＢＦを含まないこともある。
【０１１３】
（２）ＣＲＣに搬送波情報マスキングする方法
基地局は、ＰＤＣＣＨのＣＲＣに特定パターンのマスキングを介して搬送波情報を指示することができる。端末は、ＰＤＣＣＨのＣＲＣマスキングのパターンを用いて前記ＰＤＣＣＨがどのコンポーネント搬送波のためのものであるかを区分することができる。例えば、ＣＲＣに搬送波情報をマスキングするために、端末ＩＤが用いられることができる。
【０１１４】
ＬＴＥ端末は、一つのセルで前記ＬＴＥ端末のために一つの端末ＩＤの割当を受ける。ＬＴＥ−Ａ端末の場合、端末ＩＤ割当方法は多様である。以下、ＬＴＥ−Ａ端末の端末ＩＤ割当方法を詳述する。
【０１１５】
第一、基地局は、各端末にコンポーネント搬送波特定（ＣＣ−ｓｐｅｃｉｆｉｃ）端末ＩＤを割り当てることができる。即ち、基地局は、端末にコンポーネント搬送波別に独立的に端末ＩＤを割り当てる。端末は、コンポーネント搬送波の個数と同一個数の複数のＵＥＩＤの割当を受ける。基地局は、端末に送信しようとする制御情報のＣＲＣにコンポーネント搬送波別に端末ＩＤをマスキングする。例えば、端末がＣＣ＃１でＣＣ＃２に対する端末ＩＤを用いてＰＤＣＣＨを検出することができる。端末は、前記ＰＤＣＣＨに基づいてＣＣ＃２を介して送信されるダウンリンクデータを受信することができる。ＬＴＥ−Ａ端末毎にコンポーネント搬送波別に端末ＩＤを割り当てても、複数のＬＴＥ−Ａ端末に互いに異なる個数のコンポーネント搬送波を割り当てることによって、基地局は制限された個数の端末ＩＤを効率的に割り当てることができる。しかし、端末の各コンポーネント搬送波別に端末ＩＤを割り当てるため、端末ＩＤ割当のためのシグナリングオーバーヘッドが大きくなることができる。
【０１１６】
第二、基地局は、各端末にコンポーネント搬送波グループに基づいて端末ＩＤを割り当てることができる。基地局がＬＴＥ−Ａ端末にｍ個のコンポーネント搬送波を割り当てる場合、基地局は、ｍ個のコンポーネント搬送波をＮ個のコンポーネント搬送波グループに構成した後、各グループ当たり一つずつ端末ＩＤを割り当てることができる（ｍ≧ｎ）。ＬＴＥ−Ａ端末は、Ｎ個の端末ＩＤの割当を受ける。この時、一つのコンポーネント搬送波は、一つのコンポーネント搬送波グループにのみ属することができる。基地局は、セル内の可用（ａｖａｉｌａｂｌｅ）端末ＩＤの個数によって流動的に端末ＩＤを割り当でることができる。また、ｍ個のコンポーネント搬送波からＮ個のコンポーネント搬送波グループを構成する時、時間によってｎを変化させ、より効率的な端末ＩＤ割当が可能である。ｍ個のコンポーネント搬送波から構成するＮ個のコンポーネント搬送波グループは、物理階層（または第１の階層（ｌａｙｅｒ  １））シグナリングまたはＭＡＣ（ｍｅｄｉｕｍ  ａｃｃｅｓｓ  ｃｏｎｔｒｏｌ）階層（または第２階層（ｌａｙｅｒ  ２））シグナリングなどの多様な形態で構成されることができる。
【０１１７】
第三、基地局は、ＬＴＥ−Ａ端末にセル特定（ｃｅｌｌ−ｓｐｅｃｉｆｉｃ）端末ＩＤを割り当てることができる。従って、端末は、割当を受けたコンポーネント搬送波に関係なしに常に同一な端末ＩＤを用いてＰＤＣＣＨをブラインドデコーディングする。この場合、端末ＩＤ割当のためのシグナリングが簡単になる。しかし、端末は、ＰＤＣＣＨのＣＲＣにマスキングされた端末ＩＤによっては前記ＰＤＣＣＨがどのコンポーネント搬送波のためのものであるかが分からない。従って、基地局は、端末に他の方法で搬送波情報を知らせなければならない。
【０１１８】
（３）内在的な搬送波情報指示方法
基地局は、ＬＴＥ−Ａ端末に内在的に搬送波情報を指示することができる。例えば、ＬＴＥ−Ａ端末は、ＰＤＣＣＨが送信されたＣＣＥ集団の１番目のＣＣＥインデックス及び／またはＣＣＥ集団レベルなどから前記ＰＤＣＣＨがどのコンポーネント搬送波のためのものであるかが分かる。ただし、端末が特定ＰＤＣＣＨを受信することができない場合、搬送波情報はエラー発生確率が高い。
【０１１９】
以上で説明した（１）〜（３）の基地局が端末に搬送波情報を知らせる方法によると、搬送波情報はサブフレーム毎に動的に変わることができる。
【０１２０】
（４）ＲＲＣシグナリングを介する搬送波情報送信方法
基地局は、端末にＲＲＣシグナリングを介して搬送波情報を半静的に送信することができる。この場合、搬送波情報は半静的に変わることができる。
【０１２１】
このように、基地局が端末に搬送波情報を知らせることによって、端末は、ＰＤＣＣＨの受信後、前記ＰＤＣＣＨに基づいてダウンリンクデータを受信したり、またはアップリンクデータを送信することができる。基地局は、複数のコンポーネント搬送波別に端末にＰＤＳＣＨ上にダウンリンクデータを送信することができる。端末は、複数のコンポーネント搬送波別にＰＤＳＣＨ上に送信されるダウンリンクデータを読み取るために、前記複数のコンポーネント搬送波の個数に該当するＰＤＣＣＨの受信が可能でなければならない。
【０１２２】
しかし、基地局は、端末にＰＤＳＣＨが送信されるダウンリンクコンポーネント搬送波と異なるダウンリンクコンポーネント搬送波を介して前記ＰＤＳＣＨのスケジューリングに使われるＰＤＣＣＨを送信することができる。従って、一つのダウンリンクコンポーネント搬送波を介して一つの端末のための複数のＰＤＣＣＨが送信されることができる。前記複数のＰＤＣＣＨは、各々、異なるコンポーネント搬送波のためのＰＤＣＣＨである。以下、前記複数のＰＤＣＣＨを多重ＰＤＣＣＨ（ｍｕｌｔｉ−ＰＤＣＣＨ）という。多重ＰＤＣＣＨは、一つの端末のための複数のＰＤＣＣＨで構成されたＰＤＣＣＨグループであり、一つのコンポーネント搬送波を介して送信される。基地局は、一つの端末のための一つまたは複数の多重ＰＤＣＣＨを構成することができる。従って、端末が複数のダウンリンクコンポーネント搬送波を使用する場合、前記複数のダウンリンクコンポーネント搬送波のうち一つ以上のダウンリンクコンポーネント搬送波の各々は、多重ＰＤＣＣＨ送信のために使われることができる。
【０１２３】
図２０は、多重ＰＤＣＣＨ構成方法を示す。
【０１２４】
図２０を参照すると、多重ＰＤＣＣＨは、２個のＰＤＣＣＨ（ＰＤＣＣＨ＃１及びＰＤＣＣＨ＃２）で構成される。ただし、これは例示に過ぎず、多重ＰＤＣＣＨは、３個以上のＰＤＣＣＨで構成されてもよい。
【０１２５】
基地局は、ＰＤＣＣＨ＃１のＤＣＩフォーマットによって第１の情報ビットストリームを生成し、ＰＤＣＣＨ＃２のＤＣＩフォーマットによって第２の情報ビットストリームを生成する（Ｓ３１０）。ＰＤＣＣＨ＃１のＤＣＩフォーマット及びＰＤＣＣＨ＃２のＤＣＩフォーマットは、同じであってもよく、異なってもよい。即ち、ＰＤＣＣＨ＃１のＤＣＩフォーマット及びＰＤＣＣＨ＃２のＤＣＩフォーマットは独立的である。第１の情報ビットストリーム及び第２の情報ビットストリームは、各々ＣＩＢＦを含むことができる。
【０１２６】
基地局は、第１の情報ビットストリームにＣＲＣ＃１を付加し、第２の情報ビットストリームにＣＲＣ＃２を付加する（Ｓ３２０）。ＣＲＣ＃１には端末ＩＤ＃１がマスキングされ、ＣＲＣ＃２には端末ＩＤ＃２がマスキングされる。端末ＩＤ＃１及び端末ＩＤ＃２は、同じであってもよく、異なってもよい。端末ＩＤ＃１及び端末ＩＤ＃２が互いに異なる場合、端末ＩＤ＃１は、ＰＤＣＣＨ＃１のためのコンポーネント搬送波を指示し、端末ＩＤ＃２は、ＰＤＣＣＨ＃２のためのコンポーネント搬送波を指示することができる。
【０１２７】
ＣＲＣは、多重ＰＤＣＣＨを構成する各ＰＤＣＣＨ毎に適用されることができる。他の方法で、多重ＰＤＣＣＨにのみＣＲＣが適用されることができる。例えば、第１の情報ビットストリームと第２の情報ビットストリームとが結合されたビットストリームに多重ＰＤＣＣＨのＣＲＣが付加されることができる。また、他の方法で、各ＰＤＣＣＨと多重ＰＤＣＣＨの両方にＣＲＣが適用されることができる。例えば、ＣＲＣ＃１が付加された第１の情報ビットストリーム及びＣＲＣ＃２が付加された第２の情報ビットストリームが結合されたビットストリームに多重ＰＤＣＣＨのＣＲＣがさらに付加されることができる。この時、各ＰＤＣＣＨに適用されるＣＲＣの長さと多重ＰＤＣＣＨに適用されるＣＲＣの長さは互いに異なってもよい。
【０１２８】
多重ＰＤＣＣＨ構成のためのチャネルコーディング方式にはジョイントコーディング（ｊｏｉｎｔ  ｃｏｄｉｎｇ）方式または分割コーディング（ｓｅｐａｒａｔｅ  ｃｏｄｉｎｇ）方式が適用されることができる。ジョイントコーディング方式で、各ＰＤＣＣＨに対応する情報ビットストリームの結合されたビットストリームが共にチャネルコーディングされる。端末は、一回のチャネルデコーディングを介して複数の制御情報を得ることができる。分割コーディング方式で、各ＰＤＣＣＨに対応する情報ビットストリームは個別的にチャネルコーディングされ、各々符号化されたビットストリーム（ｃｏｄｅｄ  ｂｉｔ  ｓｔｒｅａｍ）を生成する。複数の符号化されたビットストリームをパッキング（ｐａｃｋｉｎｇ）し、多重ＰＤＣＣＨを構成することができる。この時、多重ＰＤＣＣＨを構成する各ＰＤＣＣＨは同一なチャネルコーディング率を有するのが好ましい。
【０１２９】
多重ＰＤＣＣＨを構成する各ＰＤＣＣＨの送信されるＣＣＥ集団は連続されてもよく、或いは離隔されてもよい。
【０１３０】
図２１は、多重搬送波システムにおける多重ＰＤＣＣＨを送信する一例を示す。
【０１３１】
図２１を参照すると、端末＃１のための多重ＰＤＣＣＨは、ＣＣ＃１を介して送信される。多重ＰＤＣＣＨを構成する各ＰＤＣＣＨは、互いに異なるコンポーネント搬送波のためのＰＤＣＣＨである。
【０１３２】
図２２は、多重搬送波システムにおける多重ＰＤＣＣＨを送信する他の例を示す。
【０１３３】
図２２を参照すると、各ＰＤＣＣＨは、搬送波情報を指示するＣＩＢＦを含む。端末＃１のための多重ＰＤＣＣＨは、ＣＣ＃１を介して送信される。ここで、多重ＰＤＣＣＨは、ＣＣ＃１のためのＰＤＣＣＨ及びＣＣ＃２のためのＰＤＣＣＨで構成される。端末＃１のためのＰＤＣＣＨは、ＣＣ＃Ｌを介して送信される。
【０１３４】
次に、多重ＰＤＣＣＨが送信されるコンポーネント搬送波に対して説明する。
【０１３５】
多重ＰＤＣＣＨは、特定コンポーネント搬送波を介してのみ送信されることができる（図２１ご参照）。これは図１７の第２の類型による多重ＰＤＣＣＨ送信方法である。または、多重ＰＤＣＣＨは、複数のコンポーネント搬送波のうち一つのコンポーネント搬送波を介して送信されることができる。これは図１７の第１の類型による多重ＰＤＣＣＨ送信方法である。この時、周波数ダイバーシティ利得を極大化するために、多重ＰＤＣＣＨが送信されるコンポーネント搬送波は、基地局と端末が予め決定したホッピング規則（ｈｏｐｐｉｎｇ  ｒｕｌｅ）によって特定パターンに変更されることができる。
【０１３６】
他の方法で、チャネル状況によって第１の類型と第２の類型の送信方法を適応的に使用することができる。例えば、高速移動環境の端末は、どのコンポーネント搬送波のチャネル状況が良いかどうかを判断し難い。この場合、第１の類型によって多重ＰＤＣＣＨを送信することができる。この時、ホッピング規則によって多重ＰＤＣＣＨが送信されるコンポーネント搬送波が定められることができる。これによって周波数ダイバーシティ利得を得ることができる。これに反し、低速移動環境の端末は、多様なフィードバックチャネルを介してどのコンポーネント搬送波のチャネル状況が良いかを判断することができる。端末は、時間によって特定コンポーネント搬送波を選択して多重ＰＤＣＣＨを送信することができる。この時、基地局は、多重ＰＤＣＣＨが送信されるコンポーネント搬送波に対する情報を端末に知らせなければならない。
【０１３７】
多重ＰＤＣＣＨが送信されるコンポーネント搬送波グループを設定することもできる。例えば、端末がＬ個のコンポーネント搬送波を使用する場合、Ｎ個のコンポーネント搬送波で定義された搬送波グループでのみ多重ＰＤＣＣＨが送信されることができる（Ｎ＜Ｌ）。これによって、端末のブラインドデコーディングの複雑度が減少されることができる。この時、複数のＰＤＣＣＨは、各々、分散されて搬送波グループ内の特定コンポーネント搬送波を介して送信されることができる。搬送波グループに対する情報は、予め定義されたり、またはＲＲＣシグナリングを介して端末に知られることができる。
【０１３８】
図２３は、多重搬送波システムにおける多重ＰＤＣＣＨを送信する他の例を示す。
【０１３９】
図２３を参照すると、ＣＣ＃１を介して端末＃１のための多重ＰＤＣＣＨが送信される。ＣＣ＃２を介してはＰＤＣＣＨが送信されない。即ち、ＣＣ＃２は、ＰＤＳＣＨのみ送信されることができる。
【０１４０】
このように、多重ＰＤＣＣＨが送信される場合、ＰＤＣＣＨが送信されず、ＰＤＳＣＨのみ送信することができるコンポーネント搬送波を設定することができる。ＰＤＳＣＨのみ送信することができるコンポーネント搬送波は、前記ＰＤＳＣＨと関連したＰＤＣＣＨが送信される他のコンポーネント搬送波と共に使われることができる。また、ＰＤＳＣＨのみ送信することができるコンポーネント搬送波が設定される場合、前記コンポーネント搬送波を介して送信される特定サブフレームの間には端末がどの情報も送／受信しないように設定することができる。
【０１４１】
図２４は、多重搬送波システムにおけるＰＤＣＣＨを送信する例を示す。
【０１４２】
図２４を参照すると、端末は、Ｌ個のダウンリンクコンポーネント搬送波（ＤＬ  ＣＣ＃１，ＤＬ  ＣＣ＃２，．．．，ＤＬ  ＣＣ＃Ｌ）を使用し、Ｕ個のアップリンクコンポーネント搬送波（ＵＬ  ＣＣ＃１，ＵＬ  ＣＣ＃２，．．．，ＵＬ  ＣＣ＃Ｕ）を使用する。ＬとＵの個数が同一な場合、ダウンリンクコンポーネント搬送波とアップリンクコンポーネント搬送波は対称構造である。ＬとＵの個数が異なる場合、ダウンリンクコンポーネント搬送波とアップリンクコンポーネント搬送波は非対称構造である。
【０１４３】
基地局は、ＤＬ  ＣＣ＃１を介して端末に３個のＰＤＣＣＨを送信する。３個のＰＤＣＣＨのうち一つのＰＤＣＣＨは、ＤＬ  ＣＣ＃１のためのＰＤＣＣＨであり、他の一つのＰＤＣＣＨは、ＤＬ  ＣＣ＃ＬのためのＰＤＣＣＨである。残りの一つのＰＤＣＣＨは、ＵＬ  ＣＣ＃２のためのＰＤＣＣＨである。各ＰＤＣＣＨは、搬送波情報を指示するＣＩＢＦを含むことができる。ＬとＵの個数が異なる場合、ＵＬ  ＣＩＢＦの大きさとＤＬ  ＣＩＢＦの大きさは異なることができる。例えば、ＵがＬより小さい場合、ＵＬ  ＣＩＢＦの大きさはＤＬ  ＣＩＢＦの大きさより小さい。
【０１４４】
図２５は、コンポーネント搬送波部分集合を設定する例を示す。
【０１４５】
図２５を参照すると、端末は、Ｌ個のダウンリンクコンポーネント搬送波（ＤＬ  ＣＣ＃１，ＤＬ  ＣＣ＃２，．．．，ＤＬ  ＣＣ＃Ｌ）の割当を受けることができる。コンポーネント搬送波スーパー集合は、Ｌ個のダウンリンクコンポーネント搬送波で構成される。コンポーネント搬送波スーパー集合からＤＬ  ＣＣ＃２及びＤＬ  ＣＣ＃Ｌで構成されたコンポーネント搬送波部分集合が設定されることができる。これは例示に過ぎず、コンポーネント搬送波部分集合は、コンポーネント搬送波スーパー集合から多様に設定されることができる。端末は、コンポーネント搬送波部分集合に含まれたダウンリンクコンポーネント搬送波のみを使用することができる。
【０１４６】
Ｌ個のダウンリンクコンポーネント搬送波の割当を受けた端末は、チャネル状況またはサービスタイプによって必要なダウンリンクコンポーネント搬送波の個数が変わることができる。しかし、端末で常にＬ個のダウンリンクコンポーネント搬送波を使用するように設定されると、端末は、全てのダウンリンクコンポーネント搬送波に対してモニタリングし、全てのダウンリンクコンポーネント搬送波に対するチャネルを測定しなければならない。これは端末が電力を不必要に消費するようにする。従って、コンポーネント搬送波部分集合を設定し、端末がコンポーネント搬送波部分集合に属するコンポーネント搬送波に対してのみモニタリングし、チャネル測定をするようにすることができる。この場合、端末での不必要な計算複雑度が低くなり、端末の電力消費が減ることができる。
【０１４７】
基地局は、端末にコンポーネント搬送波部分集合に対する情報をＲＲＣシグナリング、ＰＤＣＣＨまたはブロードキャストメッセージなどを介して知らせることができる。コンポーネント搬送波部分集合に対する情報は、ビットマップ（ｂｉｔｍａｐ）を用いてコンポーネント搬送波部分集合を構成するコンポーネント搬送波を指示することができる。ビットマップを用いる場合、コンポーネント搬送波部分集合設定の柔軟性（ｆｌｅｘｉｂｉｌｉｔｙ）が高まることができる。
【０１４８】
端末がコンポーネント搬送波部分集合を使用し、ＰＤＣＣＨがＣＩＢＦを含む場合を仮定する。この時、ＣＩＢＦの大きさを減らすために、ＣＩＢＦは、コンポーネント搬送波スーパー集合でないコンポーネント搬送波部分集合を基準としてコンポーネント搬送波を指示することができる。図２５のように、コンポーネント搬送波部分集合がＤＬ  ＣＣ＃２及びＤＬ  ＣＣ＃Ｌで構成された場合を説明する。例えば、ＰＤＣＣＨのＣＩＢＦが２である場合、前記ＰＤＣＣＨは、ＤＬ  ＣＣ＃ＬのためのＰＤＣＣＨである。もし、端末がコンポーネント搬送波部分集合を使用しない場合にはＣＩＢＦが２であるＰＤＣＣＨは、ＤＬ  ＣＣ＃２のためのものである。しかし、複雑度を減らすために、コンポーネント搬送波部分集合使用可否に関係無しに、常に同一なＣＩＢＦ大きさで使用することもできる。
【０１４９】
以上、ダウンリンクコンポーネント搬送波に対して説明したが、アップリンクコンポーネント搬送波もコンポーネント搬送波部分集合に制限されることができる。
【０１５０】
次に、コンポーネント搬送波別にＣＰの長さに対して説明する。
【０１５１】
多重搬送波システムで全てのコンポーネント搬送波のサブフレームの長さは同一であるが、コンポーネント搬送波別に中心周波数が異なる。特に、隣接するコンポーネント搬送波が周波数領域で物理的に不連続的な場合、コンポーネント搬送波間チャネル特性が異なることがある。また、コンポーネント搬送波別に遅延拡散（ｄｅｌａｙ  ｓｐｒｅａｄ）が異なることがある。従って、コンポーネント搬送波別にまたはコンポーネント搬送波グループ別に異なる長さのＣＰを用いることができる。ＣＰの長さによって一つのサブフレーム内のＯＦＤＭシンボルの個数が変わる。ＳＣＨのある第１のコンポーネント搬送波及びＳＣＨのない第２のコンポーネント搬送波が一つの端末に割り当てられる場合を仮定する。端末は、ＳＣＨを介して第１のコンポーネント搬送波のＣＰの長さを求めることができる。端末は、第２のコンポーネント搬送波のＣＰの長さを第１構成波を介して送信されるＲＲＣシグナリングまたは第１構成波を介して送信されるＰＤＣＣＨなどの制御チャネルを介して得ることができる。
【０１５２】
図２６は、本発明の実施例が具現される無線通信システムを示すブロック図である。基地局５０は、プロセッサ（ｐｒｏｃｅｓｓｏｒ）５１、メモリ（ｍｅｍｏｒｙ）５２、及びＲＦ部（ＲＦ（ｒａｄｉｏ  ｆｒｅｑｕｅｎｃｙ）ｕｎｉｔ）５３を含む。プロセッサ５１は、提案された機能、過程及び／または方法を具現する。無線インターフェースプロトコルの階層は、プロセッサ５１により具現されることができる。メモリ５２は、プロセッサ５１と連結され、プロセッサ５１を駆動するための多様な情報を格納する。ＲＦ部５３は、プロセッサ５１と連結され、無線信号を送信及び／または受信する。端末６０は、プロセッサ６１、メモリ６２、及びＲＦ部６３を含む。プロセッサ６１は、提案された機能、過程及び／または方法を具現する。無線インターフェースプロトコルの階層は、プロセッサ６１により具現されることができる。メモリ６２は、プロセッサ６１と連結され、プロセッサ６１を駆動するための多様な情報を格納する。ＲＦ部６３は、プロセッサ６１と連結され、無線信号を送信及び／または受信する。
【０１５３】
プロセッサ５１、６１は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号、及び無線信号を相互変換する変換器を含むことができる。メモリ５２、６２は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部５３、６３は、無線信号を送信及び／または受信する一つ以上のアンテナを含む。実施例がソフトウェアで具現される時、前述した技法は前述した機能を遂行するモジュール（過程、機能など）で具現されることができる。モジュールは、メモリ５２、６２に格納され、プロセッサ５１、６１により実行されることができる。メモリ５２、６２は、プロセッサ５１、６１内部または外部にあり、よく知られた多様な手段によりプロセッサ５１、６１と連結されることができる。
【０１５４】
このように、多重搬送波システムで、基地局は、効率的にＰＤＣＣＨを送信することができる。端末は、ＰＤＣＣＨに基づいて効率的にダウンリンクデータを受信したり、またはアップリンクデータを送信することができる。また、単一搬送波システムとの下位互換性が維持されることができる。従って、全体システム性能が向上することができる。
【０１５５】
前述した例示的なシステムで、方法は、一連の段階またはブロックでフローチャートに基づいて説明されているが、本発明は、段階の順序に限定されるものではなく、ある段階は、前述と異なる段階と異なる順序でまたは同時に発生するうことができる。また、当業者であれば、フローチャートに示した段階が排他的でなく、他の段階が含まれたり、またはフローチャートの一つまたはその以上の段階が本発明の範囲に影響を及ぼさなく削除可能であることを理解することができる。
【０１５６】
前述した実施例は、多様な様態の例示を含む。多様な様態を示すための全ての可能な組合せを記述することはできないが、該当技術分野の通常の知識を有する者は、他の組合せが可能であることを認識することができる。従って、本発明は、特許請求の範囲内に属する全ての交替、修正、及び変更を含む。
【図１】
0005603864.tif 000006
【図２】
0005603864.tif 000007
【図３】
0005603864.tif 000008
【図４】
0005603864.tif 000009
【図５】
0005603864.tif 000010
【図６】
0005603864.tif 000011
【図７】
0005603864.tif 000012
【図８】
0005603864.tif 000013
【図９】
0005603864.tif 000014
【図１０】
0005603864.tif 000015
【図１１】
0005603864.tif 000016
【図１２】
0005603864.tif 000017
【図１３】
0005603864.tif 000018
【図１４】
0005603864.tif 000019
【図１５】
0005603864.tif 000020
【図１６】
0005603864.tif 000021
【図１７】
0005603864.tif 000022
【図１８】
0005603864.tif 000023
【図１９】
0005603864.tif 000024
【図２０】
0005603864.tif 000025
【図２１】
0005603864.tif 000026
【図２２】
0005603864.tif 000027
【図２３】
0005603864.tif 000028
【図２４】
0005603864.tif 000029
【図２５】
0005603864.tif 000030
【図２６】
0005603864.tif 000031